(57)【要約】      （修正有）【課題】人工歯を配列した咬合床を口腔に装着した際に口腔容積が小さくなることを防ぐと共に、人工歯により舌を噛んでしまうことを防ぐ人工歯配列用テンプレート及び咬合器を提供する。【解決手段】人工歯配列用テンプレート１００において、一対の第１小臼歯を模した絵１０４ａ、１０４ｂの遠心窩１０４ｃは、基準直線Ｌ１と平行な直線Ｌ２上で、４切歯を模した絵１０１ａ、１０１ｂ、１０２ａ、１０２ｂを横に並べた際の最大横幅に１００を乗算し７７で除算した値の距離だけ離れ、一対の第１大臼歯を模した絵１０６ａ、１０６ｂの中央窩１０６ｃは、基準直線Ｌ１と平行な直線Ｌ３上で、前記乗算値を６３で除算した値の距離だけ離れ、基準円Ｋ１は、最大横幅に４を乗算し５で除算した値の半径ｒを有する。【選択図】図４
0003196191.tif 000002
【実用新案登録請求の範囲】
【請求項１】
人工歯を咬合床に配列するために用いられる透明な板状の人工歯配列用テンプレートであって、
基準円と、
切歯乳頭の位置を示す基準点と、
前記基準円の始点から前記基準円に沿って描かれた一対の、中切歯、側切歯、犬歯、第１小臼歯、第２小臼歯、第１大臼歯及び第２大臼歯を模した絵と、
を有し、
一対の前記犬歯を模した絵の尖頭は、
前記始点と前記基準点とを通る直線に直交すると共に前記基準点を通る基準直線と、前記基準円との交点に位置し、
一対の前記第１小臼歯を模した絵の遠心窩は、
前記基準直線と平行な直線上において、一対の前記中切歯及び一対の前記側切歯からなる４切歯を模した絵を横に並べた際の最大横幅に１００を乗算した乗算値を７７で除算した値の距離だけ離れ、
一対の前記第１大臼歯を模した絵の中央窩は、
前記基準直線と平行な直線上において、前記乗算値を６３で除算した値の距離だけ離れ、
前記基準円は、
前記最大横幅に４を乗算した乗算値を５で除算した値の半径を有する、
ことを特徴とする人工歯配列用テンプレート。
【請求項２】
請求項１記載の人工歯配列用テンプレートに基づいて咬合床に前記人工歯を配列するための咬合器であって、
前記人工歯配列用テンプレートを載置する載置台と、
前記載置台と対向し、前記咬合床を装着した模型を保持可能な保持台と、
前記保持台を上下方向に移動可能に支持する支持部と、
を有し、
前記保持台は、
前記咬合床又は前記人工歯と前記人工歯配列用テンプレートとが接離可能なように上下方向に移動する、
ことを特徴とする咬合器。
【考案の詳細な説明】
【技術分野】
【０００１】
本考案は、人工歯を咬合床に配列するために用いられる人工歯配列用テンプレート及び咬合器に関する。
【背景技術】
【０００２】
従来、人工歯を咬合床に配列するためには、口腔内の検査の後、印象採得を行って上顎模型及び下顎模型を作成する。そして、上顎模型を用いて上顎咬合床を作成し、作成した上顎咬合床に人工歯を配列する。また、下顎模型を用いて下顎咬合床を作成し、上顎咬合床に配列した人工歯に合わせて、作成した下顎咬合床に人工歯を配列する。
【考案の概要】
【考案が解決しようとする課題】
【０００３】
しかしながら、従来においては、天然歯を失った後に歯槽骨が吸収して顎堤が縮小し、縮小した顎堤に合わせて作成した咬合床に人工歯を配列するので、人工歯を配列した咬合床を口腔に装着した際に口腔容積が小さくなってしまうという課題を有する。また、口腔容積が小さくなることに伴って、口腔内の人工歯によって囲まれた空間に舌が収まりきれずに人工歯により舌を噛んでしまうという課題を有する。
【０００４】
本考案の目的は、所定の演算により求めた位置関係で描かれた人工歯を模した絵に従って、人工歯を咬合床に配列可能にすることにより、人工歯を配列した咬合床を口腔に装着した際に口腔容積が小さくなることを防ぐと共に、人工歯により舌を噛んでしまうことを防ぐ人工歯配列用テンプレート及び咬合器を提供することである。
【課題を解決するための手段】
【０００５】
本考案に係る人工歯配列用テンプレートは、人工歯を咬合床に配列するために用いられる透明な板状の人工歯配列用テンプレートであって、基準円と、切歯乳頭の位置を示す基準点と、前記基準円の始点から前記基準円に沿って描かれた一対の、中切歯、側切歯、犬歯、第１小臼歯、第２小臼歯、第１大臼歯及び第２大臼歯を模した絵と、を有し、一対の前記犬歯を模した絵の尖頭は、前記始点と前記基準点とを通る直線に直交すると共に前記基準点を通る基準直線と、前記基準円との交点に位置し、一対の前記第１小臼歯を模した絵の遠心窩は、前記基準直線と平行な直線上において、一対の前記中切歯及び一対の前記側切歯からなる４切歯を模した絵を横に並べた際の最大横幅に１００を乗算した乗算値を７７で除算した値の距離だけ離れ、一対の前記第１大臼歯を模した絵の中央窩は、前記基準直線と平行な直線上において、前記乗算値を６３で除算した値の距離だけ離れ、前記基準円は、前記最大横幅に４を乗算した乗算値を５で除算した値の半径を有する。
【０００６】
本考案に係る咬合器は、上記の人工歯配列用テンプレートに基づいて咬合床に人工歯を配列するための咬合器であって、前記人工歯配列用テンプレートを載置する載置台と、前記載置台と対向し、前記咬合床を装着した模型を保持可能な保持台と、前記保持台を上下方向に移動可能に支持する支持部と、を有し、前記保持台は、前記咬合床又は前記人工歯と前記人工歯配列用テンプレートとが接離可能なように上下方向に移動する。
【考案の効果】
【０００７】
本考案によれば、所定の演算により求めた位置関係で描かれた人工歯を模した絵に従って、人工歯を咬合床に配列可能にすることにより、人工歯を配列した咬合床を口腔に装着した際に口腔容積が小さくなることを防ぐことができると共に、人工歯により舌を噛んでしまうことを防ぐことができる。
【図面の簡単な説明】
【０００８】
【図１】本考案の実施形態に係る咬合器の右前方から見た斜視図である。
【図２】本考案の実施形態に係る咬合器の左前方から見た斜視図である。
【図３】本考案の実施形態に係る咬合器に咬合床及び人工歯配列用テンプレートを設置した状態の斜視図である。
【図４】本考案の実施形態における中切歯を模した絵の横幅が７．５ｍｍの場合の人工歯配列用テンプレートの平面図である。
【図５】本考案の実施形態における中切歯を模した絵の横幅が８．０ｍｍの場合の人工歯配列用テンプレートの平面図である。
【図６】本考案の実施形態における中切歯を模した絵の横幅が８．５ｍｍの場合の人工歯配列用テンプレートの平面図である。
【図７】本考案の実施形態における中切歯を模した絵の横幅が９．０ｍｍの場合の人工歯配列用テンプレートの平面図である。
【図８】本考案の実施形態における４切歯を示す図である。
【図９】本考案の実施形態における人工歯の配列を示す図である。
【考案を実施するための形態】
【０００９】
以下、図面を適宜参照して、本考案の実施形態に係る咬合器につき、詳細に説明する。図中、ｘ軸、ｙ軸及びｚ軸は、３軸直交座標系を成し、ｙ軸の正方向を前方向、ｙ軸の負方向を後ろ方向、ｘ軸方向を左右方向、ｚ軸の正方向を上方向、及びｚ軸の負方向を下方向として説明する。
【００１０】
＜咬合器の構成＞
本考案の実施形態に係る咬合器１の構成につき、図１から図３を参照しながら、以下に詳細に説明する。
【００１１】
咬合器１は、載置台２と、保持台３と、支柱４と、台座５と、可動調整部６と、を有している。支柱４及び可動調整部６は、保持台３を上下方向に移動可能に支持する支持部を構成している。
【００１２】
載置台２には、支柱部２１が設けられている。載置台２は、支持柱２１を介して台座５に着脱自在に固定されている。載置台２には、上下方向に貫通する貫通孔２３が前方側において前後に２か所形成されている。載置台２は、後述する人工歯配列用テンプレート１００を載置可能である。
【００１３】
保持台３は、支柱４に係合するアーム３３と、可動調整部６に係合するアーム３４と、を有している。保持台３は、載置台２と対向し、アーム３３及びアーム３４を介して上下方向に移動可能に支柱４及び可動調整部６に支持されている。保持台３は、前後左右において下方に突出する４つの係合爪３５を有している。保持台３は、図示しない磁石を下面に露出した状態で有し、咬合床６０を装着した上顎模型６１を係合爪３５に係合すると共に、上顎模型６１に設けられた金属板を磁石により引き付けることにより、上顎模型６１及び咬合床６０を保持する。
【００１４】
支柱４は、アーム３３と係合することにより、保持台３を上下方向に移動可能に支持している。
【００１５】
台座５には、支持壁２２が設けられている。台座５には、支柱４及び可動調整部６が固定されている。
【００１６】
可動調整部６は、螺子６６の回転に伴ってアーム３４を上下方向に移動させることにより、保持台３を上下方向に移動させて、載置台２に載置した人工歯配列用テンプレート１００と、保持台３に保持した上顎模型６１に装着された咬合床６０又は咬合床６０に配列する人工歯と、を接離可能にする。
【００１７】
＜人工歯配列用テンプレートの構成＞
本考案の実施形態に係る人工歯配列用テンプレート１００の構成につき、図４から図７を参照しながら、以下に詳細に説明する。
【００１８】
人工歯配列用テンプレート１００は、各人工歯の幅に応じて、図４から図７に示す４種類から構成されている。人工歯配列用テンプレート１００は、上顎側の人工歯を配列するために用いられる。人工歯配列用テンプレート１００は、透明な板状の板状部材１５０と、板状部材１５０に描かれた基準円Ｋ１と、中切歯、側切歯、犬歯、第１小臼歯、第２小臼歯、第１大臼歯及び第２大臼歯の順番で、基準円Ｋ１の始点Ｓ１から基準円Ｋ１に沿って時計回りと反時計回りとに板状部材１５０に描かれた一対の、中切歯を模した絵１０１ａ、１０１ｂ、側切歯を模した絵１０２ａ、１０２ｂ、犬歯を模した絵１０３ａ、１０３ｂ、第１小臼歯を模した絵１０４ａ、１０４ｂ、第２小臼歯を模した絵１０５ａ、１０５ｂ、第１大臼歯を模した絵１０６ａ、１０６ｂ及び第２大臼歯を模した絵１０７ａ、１０７ｂと、を有している。人工歯配列用テンプレート１００には、切歯乳頭の位置に板厚方向に貫通する貫通孔１１０が形成されている。
【００１９】
＜人工歯配列用テンプレートの作成方法＞
本考案の実施形態に係る人工歯配列用テンプレート１００の作成方法につき、図８及び図９を参照しながら、以下に詳細に説明する。
【００２０】
人工歯配列用テンプレート１００には、基準円Ｋ１の始点Ｒ０から基準円Ｋ１に沿って時計回りと反時計回りとで一対の、中切歯を模した絵１０１ａ、１０１ｂ、側切歯を模した絵１０２ａ、１０２ｂ、犬歯を模した絵１０３ａ、１０３ｂ、第１小臼歯を模した絵１０４ａ、１０４ｂ、第２小臼歯を模した絵１０５ａ、１０５ｂ、第１大臼歯を模した絵１０６ａ、１０６ｂ及び第２大臼歯を模した絵１０７ａ、１０７ｂを描く。
【００２１】
中切歯を模した絵１０１ａ、１０１ｂの幅は、顔の幅に対応付けた幅を有する。側切歯を模した絵１０２ａ、１０２ｂ、犬歯を模した絵１０３ａ、１０３ｂ、第１小臼歯を模した絵１０４ａ、１０４ｂ、第２小臼歯を模した絵１０５ａ、１０５ｂ、第１大臼歯を模した絵１０６ａ、１０６ｂ及び第２大臼歯を模した絵１０７ａ、１０７ｂの各幅は、中切歯を模した絵１０１ａ、１０１ｂの幅に応じて予め決められた幅を有する。
【００２２】
人工歯配列用テンプレート１００に描かれた各人工歯を模した絵は、所謂ポンの指数を用いて演算した位置関係になるように描かれる。具体的には、一対の中切歯を模した絵１０１ａ、１０１ｂ及び一対の側切歯を模した絵１０２ａ、１０２ｂから構成される４切歯を模した絵を横に並べた際の最大横幅Ａ（図８参照）に基づいて、基準円Ｋ１の半径ｒを決定する。
【００２３】
犬歯を模した絵１０３ａ、１０３ｂは、始点Ｒ０と切歯乳頭を示す基準点Ｒ１とを通る直線Ｌ４に直交する基準直線Ｌ１と、基準円Ｋ１と、の交点に尖頭点１０３ｃが位置するように描かれる。ここで、基準点Ｒ１は、切歯乳頭の位置を示しており、基準直線Ｌ１と直線Ｌ４との交点である。また、基準直線Ｌ１は、側切歯を模した絵１０２ａの輪郭と側切歯を模した絵１０２ｂの輪郭とに接し、且つ中切歯を模した絵１０１ａ、１０１ｂを横切らない直線である。
【００２４】
第１小臼歯を模した絵１０４ａ、１０４ｂは、基準直線Ｌ１と平行な直線Ｌ２上において、第１小臼歯を模した絵１０４ａの遠心窩１０４ｃと、第１小臼歯を模した絵１０４ｂの遠心窩１０４ｃと、の距離が、最大横幅Ａに１００を乗算した乗算値を７７で除算した値（（１００×Ａ）／７７）の距離だけ離れるように描かれる。
【００２５】
第１大臼歯を模した絵１０６ａ、１０６ｂは、基準直線Ｌ１と平行な直線Ｌ３上において、第１大臼歯を模した絵１０６ａの中央窩１０６ｃと、第１大臼歯を模した絵１０６ｂの中央窩１０６ｃと、の距離が、最大横幅Ａに１００を乗算した乗算値を６３で除算した値（（１００×Ａ）／６３）の距離だけ離れるように描かれる。
【００２６】
上記の方法により作成された中切歯を模した絵１０１ａ、１０１ｂの幅が７．５ｍｍの場合の人工歯配列用テンプレート１００ａでは、図４に示すように、最大横幅Ａは２７．５であり、直線Ｌ２上における第１小臼歯を模した絵１０４ａの遠心窩１０４ｃと第１小臼歯を模した絵１０４ｂの遠心窩１０４ｃとの距離を３４．０ｍｍ、及び、直線Ｌ３上における第１大臼歯を模した絵１０６ａの中央窩１０６ｃと第１大臼歯を模した絵１０６ｂの中央窩１０６ｃとの距離を４３．０ｍｍとする。
【００２７】
また、中切歯を模した絵１０１ａ、１０１ｂの幅が８．０ｍｍの場合の人工歯配列用テンプレート１００ｂでは、図５に示すように、最大横幅Ａは２９．５ｍｍであり、直線Ｌ２上における第１小臼歯を模した絵１０４ａの遠心窩１０４ｃと第１小臼歯を模した絵１０４ｂの遠心窩１０４ｃとの距離を３７．０ｍｍ、及び、直線Ｌ３上における第１大臼歯を模した絵１０６ａの中央窩１０６ｃと第１大臼歯を模した絵１０６ｂの中央窩１０６ｃとの距離を４６．０とする。
【００２８】
また、中切歯を模した絵１０１ａ、１０１ｂの幅が８．５ｍｍの場合の人工歯配列用テンプレート１００ｃでは、図６に示すように、最大横幅Ａは３１．５ｍｍであり、直線Ｌ２上における第１小臼歯を模した絵１０４ａの遠心窩１０４ｃと第１小臼歯を模した絵１０４ｂの遠心窩１０４ｃとの距離を３９．５ｍｍ、及び、直線Ｌ３上における第１大臼歯を模した絵１０６ａの中央窩１０６ｃと第１大臼歯を模した絵１０６ｂの中央窩１０６ｃとの距離を４９．０とする。
【００２９】
また、中切歯を模した絵１０１ａ、１０１ｂの幅が９．０ｍｍの場合の人工歯配列用テンプレート１００ｄでは、図７に示すように、最大横幅Ａは３３．０ｍｍであり、直線Ｌ２上における第１小臼歯を模した絵１０４ａの遠心窩１０４ｃと第１小臼歯を模した絵１０４ｂの遠心窩１０４ｃとの距離を４１．０ｍｍ、及び、直線Ｌ３上における第１大臼歯を模した絵１０６ａの中央窩１０６ｃと第１大臼歯を模した絵１０６ｂの中央窩１０６ｃとの距離を５１．５ｍｍとする。
【００３０】
＜人工歯の配列方法＞
本考案の実施形態における人工歯の配列方法につき、以下に詳細に説明する。
【００３１】
まず、所定の測定器具で顔の幅を測定し、測定した顔の幅と対応付けられた中切歯の幅を決定する。
【００３２】
次に、人工歯配列用テンプレート１００ａ、１００ｂ、１００ｃ、１００ｄの中から、決定した中切歯の幅の人工歯配列用テンプレート１００を選択する。
【００３３】
次に、咬合器１の載置台２の貫通孔２３と上顎模型６１の切歯乳頭との位置合わせを行って、咬合器１に対する上顎模型６１の位置を決定し、上顎模型６１を保持台３に固定する。この際、上顎模型６１は、保持台３の係合爪３５に係合する。
【００３４】
次に、選択した人工歯配列用テンプレート１００の貫通孔１１０と載置台２の貫通孔２３との位置合わせを行って、上方から図示しない固定ピンを挿入して貫通孔１１０及び貫通孔２３を貫通させることにより、人工歯配列用テンプレート１００を載置台２に固定する。
【００３５】
次に、上顎模型６１に対して予め作成しておいた咬合床６０を装着し、保持台３をアーム３３及びアーム３４を介して支柱４及び可動調整部６に支持させた状態で上下方向に移動させて、載置台２に固定した人工歯配列用テンプレート１００の人工歯を模した絵の配列と、咬合床６０の顎堤に相当する部分と、の位置合わせを行って咬合床６０を上顎模型６１に固定する。
【００３６】
次に、咬合床６０を軟化させながら咬合床６０の顎堤に相当する部分に人工歯６２を挿入して配列していく。この際、保持台３をアーム３３及びアーム３４を介して支柱４及び可動調整部６に支持させた状態で上下方向に移動させて、載置台２に固定した人工歯配列用テンプレート１００の人工歯を模した絵と、人工歯６２と、の位置合わせを行って咬合床６０に人工歯６２を配列していく。
【００３７】
これにより、咬合床６０に対する各人工歯６２の配列を終了する。このように、ポンの指数に基づいて作成した人工歯配列用テンプレート１００の人工歯を模した絵の配列に合わせて咬合床６０を上顎模型６１に装着し、上顎模型６１に装着された咬合床６０に人工歯６２を配列することにより、天然歯を失う前の咬合床に近い咬合床６０に人工歯６２を配列することができるので、人工歯６２を配列した咬合床６０を口腔に装着した際に口元が窄まってしまうことを防ぐことができる。
【００３８】
そして、咬合床６０に配列した人工歯６２に沿って下顎の図示しない人工歯を配列することにより、上下の人工歯の配列を終了する。
【００３９】
本考案は、部材の種類、配置、個数等は前述の実施形態に限定されるものではなく、その構成要素を同等の作用効果を奏するものに適宜置換する等、考案の要旨を逸脱しない範囲で適宜変更可能であることはもちろんである。
【００４０】
例えば、本実施形態において、図１から図３に示す咬合器１を用いて人工歯６２を咬合床６０に配列したが、図１から図３に示す咬合器１以外の咬合器を用いて人工歯６２を咬合床６０に配列させてもよい。
【００４１】
また、本実施形態において、人工歯配列用テンプレートを図４から図７に示す４種類作成したが、図４から図７に示す４種類以外の人工歯配列用テンプレートをポンの指数に基づいて作成してもよい。
【００４２】
また、本実施形態において、第１小臼歯を模した絵１０４ａの遠心窩１０４ｃと、第１小臼歯を模した絵１０４ｂの遠心窩１０４ｃと、の距離、及び、第１大臼歯を模した絵１０６ａの中央窩１０６ｃと、第１大臼歯を模した絵１０６ｂの中央窩１０６ｃと、の距離は、日本人及び欧米人等の人工歯を使用する人種に応じて、分母の値を調整することにより適宜変更することができる。
【産業上の利用可能性】
【００４３】
本考案に係る人工歯配列用テンプレート及び咬合器は、人工歯を咬合床に配列するのに好適である。
【符号の説明】
【００４４】
１  咬合器
２  載置台
３  保持台
４  支柱
５  台座
６  可動調整部
２１  支持柱
２２  支持壁
２３  貫通孔
３３  アーム
３４  アーム
６６  螺子
１００  人工歯配列用テンプレート
１００ａ  人工歯配列用テンプレート
１００ｂ  人工歯配列用テンプレート
１００ｃ  人工歯配列用テンプレート
１００ｄ  人工歯配列用テンプレート
１０１ａ  中切歯を模した絵
１０１ｂ  中切歯を模した絵
１０２ａ  側切歯を模した絵
１０２ｂ  側切歯を模した絵
１０３ａ  犬歯を模した絵
１０３ｂ  犬歯を模した絵
１０４ａ  第１小臼歯を模した絵
１０４ｂ  第１小臼歯を模した絵
１０４ｃ  遠心窩
１０５ａ  第２小臼歯を模した絵
１０５ｂ  第２小臼歯を模した絵
１０６ａ  第１大臼歯を模した絵
１０６ｂ  第１大臼歯を模した絵
１０６ｃ  中央窩
１０７ａ  第２大臼歯を模した絵
１０７ｂ  第２大臼歯を模した絵
１１０  貫通孔
【図１】
0003196191.tif 000003
【図２】
0003196191.tif 000004
【図３】
0003196191.tif 000005
【図４】
0003196191.tif 000006
【図５】
0003196191.tif 000007
【図６】
0003196191.tif 000008
【図７】
0003196191.tif 000009
【図８】
0003196191.tif 000010
【図９】
0003196191.tif 000011